(57)【要約】【課題】構造が簡単で、建材の部品として有効に使用できるバックルを提供する。【解決手段】雄側部材１０は、基体１１と、基体１１から突出する二つの突片１２とを備え、各突片１２の先端部には、突片相互方向内側にわずかに拡張する被係止部１３が形成され、雌側部材２０は、突片１２を受入口２１ａから受け入れ可能なケース体２１と、ケース体２１内に設置された板バネ２４とを備える。板バネ２４は、受入口２１ａからケース体２１内に挿入された各突片１２の被係止部１３に当接し、かつ突片１２の更なる進入に伴って突片相互方向内側に弾性的に押し退けられると共に、被係止部１３の通過によって該押し退けが解除されて被係止部を係止し、これにより雄側部材１０と雌側部材２０が連結される。【選択図】        図７
2004183834.tif 000002
【特許請求の範囲】
【請求項１】
連結可能な一対の雄側部材と雌側部材から成り、
雄側部材は、基体と、基体から突出する二つの突片とを備え、各突片の先端部には、突片相互方向内側にわずかに拡張する被係止部が形成され、
雌側部材は、突片を受入口から受け入れ可能なケース体と、ケース体内に設置された板バネとを備え、
板バネは、ケース体内の斜め後方へと相互間隔が次第に広がるように延伸する左右一対の延伸部と、これら延伸部の前端部を連結する基端部とを有し、
各延伸部は、受入口からケース体内に挿入された各突片の被係止部に当接し、かつ突片の更なる進入に伴って突片相互方向内側に弾性的に押し退けられると共に、被係止部の通過によって該押し退けが解除されて被係止部を係止し、突片のケース体外への離脱に抵抗することを特徴とするバックル。
【請求項２】
前記各突片の被係止部が丸みのある形状である請求項１記載のバックル。
【請求項３】
前記各突片の被係止部が段形状である請求項１記載のバックル。
【請求項４】
前記延伸部による突片の被係止部の係止により、突片のケース体外への離脱が不能となる請求項３記載のバックル。
【請求項５】
前記板バネは、基端部に上方及び／又は下方に突出する一又は複数の突起を有し、前記ケース体は該突起を受け入れる穴又は凹部を有し、板バネのケース体内における固定が、当該突起と穴又は凹部との嵌合のみによって行われる請求項１〜４のいずれか記載のバックル。
【請求項６】
前記各延伸部に、突片の被係止部を係止可能な少なくとも一の段部を設ける請求項１〜５のいずれか記載のバックル。
【請求項７】
前記雄側部材は一枚のプレートから成る請求項１〜６のいずれか記載のバックル。
【請求項８】
前記雄側部材及び雌側部材は金属製である請求項１〜７のいずれか記載のバックル。
【請求項９】
前記一対の延伸部のなす角度が１２０度以下である請求項１〜８のいずれか記載のバックル。
【請求項１０】
前記一対の延伸部がＶ字状に連結し、各延伸部の交差部が前記基端部となる請求項１〜９のいずれか記載のバックル。
【発明の詳細な説明】
【０００１】
【発明の属する技術分野】
本発明は、特に建材の部品として好適なバックルに関する。
【０００２】
【従来の技術】
バックルは、連結可能な一対の雄側部材と雌側部材を備え、例えばベルト、鞄等に一般的に用いられている。従来のバックルの例としては、実公平２−１６６４７号公報、実公平７−４６１６５号公報等に記載されたものが知られている。しかし、これらのバックルでは、特に雌側部材における雄側部材を係止するための構造やこの係止を解除するための構造が複雑で、部品点数が多く、製造コストも高くなる。
【０００３】
また、現在、建材の組立において、支柱間の接合を、ブラケット、溶接、ネジ止め等に代えてバックルを用いて行う方法が模索されており、バックルを用いた場合、例えば、仮設構造物の解体作業が容易になったり、バックル自体を再利用できるといった利点がある。
【０００４】
しかし、上述したような従来のバックルでは、雌側部材の堅牢性や雄側部材との連結力・離脱抵抗を高めたり、そのコンパクト化・薄型化にも限界があり、建材の部品としては全くの不適である。
【０００５】
【特許文献１】
実公平２−１６６４７号公報
【特許文献２】
実公平７−４６１６５号公報
【０００６】
【発明が解決しようとする課題】
本発明は、以上の点に着目してなされたもので、その目的は、構造が簡単で、部品点数が少なく、コスト的にも有利であり、更に、建材の部品としても有効に利用できるバックルを提供することにある。
【０００７】
【課題を解決するための手段】
上記課題を解決するため、請求項１に係る本発明によれば、連結可能な一対の雄側部材と雌側部材から成り、雄側部材は、基体と、基体から突出する二つの突片とを備え、各突片の先端部には、突片相互方向内側にわずかに拡張する被係止部が形成され、雌側部材は、突片を受入口から受け入れ可能なケース体と、ケース体内に設置された板バネとを備え、板バネは、ケース体内の斜め後方へと相互間隔が次第に広がるように延伸する左右一対の延伸部と、これら延伸部の前端部を連結する基端部とを有し、各延伸部は、受入口からケース体内に挿入された各突片の被係止部に当接し、かつ突片の更なる進入に伴って突片相互方向内側に弾性的に押し退けられると共に、被係止部の通過によって該押し退けが解除されて被係止部を係止し、突片のケース体外への離脱に抵抗することを特徴とするバックルが提供される。
【０００８】
本発明では、雄側部材の突片が、雌側部材における板バネの弾性変形によってケース体内へ受け入れられると共に、復元（完全に初期位置・状態に戻る場合の他、上記弾性変形から復帰した状態であって、突片に制限されて完全な初期位置・状態とはならない場合をも含む。以下、同じ。）した板バネによって突片の被係止部が係止され、突片のケース体外への離脱が防止される。このように、雄側部材の突片を雌側部材のケース内に連結するための機構が、実質的に板バネ一部品によって構成される。そのため、本発明のバックルは、構造が非常に簡単で、部品点数も少なくて済む。更に、突片を薄い板状に形成して、ケース体をこの突片を収容可能な程度に薄型化することができる。
【０００９】
本発明では、前記各突片の被係止部を丸みのある形状又は段形状とすることができる。これは、板バネの延伸部の後端部と突片の被係止部とが係合して生じる雄側部材と雌側部材間の離脱抵抗の程度を調整するもので、被係止部に丸みを付けることにより、突片のケース体外への離脱が可能となり、被係止部を段状にすることにより、突片のケース体外への離脱を不能とすることができる。前者の場合、雌側部材との連結後、上記離脱抵抗を上回る力で雄側部材を引き抜くことにより、両者の連結が解かれる。これに対し、後者の場合、上記離脱抵抗が、雌側部材からの雄側部材の引き抜きを不能とする程度に高められ、雌側部材に連結した雄側部材はそのまま嵌め殺しにされる。
【００１０】
本発明において、前記板バネは、基端部に上方及び／又は下方に突出する一又は複数の突起を有し、前記ケース体は該突起を受け入れる穴又は凹部を有し、板バネのケース体内における固定が、当該突起と穴又は凹部との嵌合のみによって行われるようにすることができる。これにより、板バネのケース体への固定が非常に簡単で、雌側部材の組立が容易になる。
【００１１】
本発明では、前記各延伸部に、突片の被係止部を係止可能な少なくとも一の段部を設けることができる。これにより、突片の被係止部を、延伸部の後端部以外の個所（段部）で係止させて、例えば、突片のケース体内への挿入深度を複数設定することが可能となる。
【００１２】
本発明では、前記雄側部材を一枚のプレートから形成することができる。また、雄側部材及び雌側部材の材質としては、プラスチック、金属等を挙げることができ、建材の部品として使用する場合、鋼等の金属が特に好ましい。
【００１３】
板バネは、一対の延伸部のなす角度が１２０度以下、特に９０度以下であることが望ましく、１２０度を超える場合、各突片を板バネに嵌めにくくなるのに対し、１２０度以下、特に９０度以下の場合、各突片を板バネに嵌めやすくなる。また、これら延伸部は、各延伸部の前端部間をある程度の長さを有する基端部が連結する態様（図６等参照）以外に、それらがＶ字状に連結する態様であってもよく、この場合、基端部は各延伸部が交差する部分となる。
【００１４】
【発明の実施の形態】
以下、本発明の好適な実施形態を添付図面を参照して説明する。図１は、本発明に係るバックル１の平面図であり、バックル１は、一対の雄側部材１０と雌側部材２０から成る。図２、図３及び図４は雌側部材２０の斜視図、底面図及び背面図であり、雌側部材２０は、ケース体２１と、ケース体２１内に設置した板バネ２４とから成る。なお、雄側部材１０、ケース体２１及び板バネ２４はいずれも鋼製である。
【００１５】
雄側部材１０は一枚のプレートから形成され、ほぼ矩形状の基体１１と、基体１１から前方（図１において左方）に突出・延伸する二つの突片１２とを有する。各突片１２の先端部には、図５にも拡大して示すように、各突片１２の内側辺１２ａから突片相互方向内側にわずかに拡張する被係止部１３が形成されている。各被係止部１３は、内側辺１２ａから突片相互方向内側への突出高が前方（図５において左方）に向かって次第に高くなった後、次第に低くなるように丸みが付けられている。
【００１６】
雌側部材２０のケース体２１は、細長い矩形状の基板２２と、基板２２上に前方（図１において右方）のみを開放する箱を形成する箱体２３とから成り、その前方の開放部は、雄側部材１０の突片１２を受け入れる突片受入口２１ａとなる。箱体２３は一枚のプレートを折り曲げて形成され、上部２３ａ、左右両側部２３ｂ及び後部２３ｃを有する。ケース体２１内部の奥行きは突片１２の突出高とほぼ同じ寸法とされ、該内部の横幅は、各突片１２の横幅より大きい寸法とされ、更に、該内部の高さは、突片１２の厚さを若干上回り、受容可能な最小限の寸法よりは多少余裕のある間隔とされる。
【００１７】
基板２２と箱体２３は、後述するように板バネ２４が取り付けられた後、次のように一体化される。即ち、箱体２３の左右両側部２３ｂそれぞれから伸びる連結片２３ｄ（図３参照）を、基板２２に設けた連結片通し穴２２ｂから裏側に通した後、外側に折り曲げて、基板２２の連結片受容部２２ｃに受容させる。この連結片受容部２２ｃは、基板２２の裏側において連結片２３ｄの厚さ分だけ陥没されており、その分表側が隆起する（図２の符号２２ｃ’参照）。また、これによって連結片２３ｄは基板２２の裏面と面一に収められる。更に、箱体２３の後部２３ｃの中央から下方に突出する突起２３ｅ（図３及び図４参照）が、基板２２に設けられた切欠部２２ｄに嵌入される。
【００１８】
板バネ２４は、図１の破線等でも示すように、基端部２４ａと、基端部２４ａの左右両端から斜め後方にそれぞれ延伸する延伸部としての板バネ本体２４ｂとから成り、板バネ本体２４ｂの後端部（２４ｃ）は、詳細は後述するが、雄側部材１０の突片１２の被係止部１３を係止する係止部２４ｃ（図７参照）として機能する。なお、各板バネ本体２４ｂのなす角度は９０度以下に設定されている。板バネ２４は、基端部２４ａから下方に突出する突起２４ｄ（図２及び図３参照）が、基板２２に設けた穴２２ａ（図３参照）に嵌合され、その後、上述したように基体２２に箱体２３が組み付けられることで、雌側部材２０に一体化される。このように、ケース体２１内における板バネ２４は、突起２４ｄと穴２２ａの嵌合のみで固定されるため、板バネを固着等する場合に比べ、雌側部材１０の組立が容易になる。基端部２４ａは、ケース体２１の突片受入口２１ａの中央部を塞ぐような形となり、そのため、ケース体２１内の基端部２４ａの両側に突片１３を受け入れ可能な空間が残される。
【００１９】
また、雄側部材１０の各突片１２の被係止部１３間の間隔は、各板バネ本体２４ｂ間の最大間隔（係止部２４ｃでの間隔）より小さく、かつ最小間隔（基端部２４ａの間隔）より大きくなるように設定され、これにより、突片１２が受入口２１ａからケース体２１内に挿入されると、各被係止部１３は各板バネ本体２４ｂの前後端間の途中部分に接触することとなる。
【００２０】
次に、以上のバックル１の使用方法を説明する。図６及び図７は雄側部材１０を雌側部材２０に連結する工程の概略説明図であり、便宜のため雌側部材２０は、板バネ２４を除き波線で表している。雄側部材１０と雌側部材２０を連結する場合、雄側部材１０の突片１２を、雌側部材２０のケース体２１内に突片受入口２１ａから挿入する。この際、各突片１２の被係止部１３は、上述したように各板バネ本体２４ｂの前後端間の途中に当接し（図６）、これが障害となって突片１２のそれ以上の進入を阻止する形となるが、更に力を加えて突片１２を押し込むと、板バネ本体２４ｂは、被係止部１３によって突片相互方向内側に押し退けけられるように弾性変形し、これにより突片１２の更なる進入が許容される。そして、被係止部１３が板バネ本体２４ｂの後端（係止部２４ｃ）を通過すると、板バネ本体２４ｂが初期形状に復元し、係止部２４ｃが、被係止部１３を、突片１２のケース体２１外への抜脱方向に対し係止する（図７）。これによって雄側部材１０と雌側部材２０とは連結状態となる。
【００２１】
上記の係止部２４ｃと被係止部１３の係合は、雄側部材１０と雌側部材２０の連結を解く際の抵抗となり、この抵抗を下回る力で雄側部材１０と雌側部材２０を互いに引き離そうとしても、当該連結は解除されない。一方、上記抵抗を上回る力でその引き離しを行う場合、丸みが付けられた被係止部１３が係止部２４ｃを内側に押しやって係止状態を解き、雄側部材１０は雌側部材２０から抜ける。
【００２２】
図８は、既述の雌側部材２０に対応させる別形態の雄側部材８０を破断して示し、この雄側部材８０の突片８２は、突片相互方向内側に矩形状に拡張する被係止部８３を有する。このような突片８２を上記突片１２と同様に雌側部材２０のケース体２１内に挿入して、雄側部材８０と雌側部材２０を連結した場合、この連結を解除しようとして雌側部材２０から雄側部材８０を引いても、矩形状の被係止部８３では板バネ２４の係止部２４ｃに引っ掛かったままで、これらを内側に押しやることができず、被係止部８３と係止部２４ｃの係合は解けない。従って、雄側部材８０と雌側部材２０が一旦連結すると、これらを壊す以外に、この連結は解除されない。
【００２３】
図９は、板バネの別形態を示し、この板バネ９４は、基端部９４ａと左右の板バネ本体９４ｂとから成る。各板バネ本体９４ｂには、前端から後端（図において下から上）へ至る途中に、内側に屈曲する第１の段部９５ａ及び第２の段部９５ｂという二つの段が付けられている。かかる板バネ９４を有する雌側部材に上述した雄側部材１０を連結する場合、突片１２の被係止部１３を、板バネ本体９４ｃの後端の係止部９４ｃに対してのみならず、第１及び第２の段部９５ａ、９５ｂに対しても係合させることができ、この際、各係合の離脱抵抗は、第１の段部９５ａ、第２の段部９５ｂ、係止部９４ｃの順に高まる。これは、板バネ本体９４ｃの内側への弾性変形量が、後端側へ行くほど増加するためである。このように被係止部１３の係止を三段階で行うことができる結果、突片１２のケース体内への挿入深度を三段階で調整することが可能となる。
【００２４】
また、上記板バネ９４に図８の突片８２を対応させる場合、第１及び第２の段部９５ａ、９５ｂの段の付け具合（形状や角度）によって、第１の段部９５ａ、第２の段部９５ｂ、係止部９４ｃに対しそれぞれ係止解除不能に係合させたり、あるいは、第１及び第２の段部９５ａ、９５ｂは係止解除可能で、係止部９４ｃのみ係止解除不能とすることもできる。なお、板バネ９４の段部の数は、二つに限らず、一つでも三つ以上であってもよい。
【００２５】
以上のバックル１は、雄側部材１０（８０）、基板２１、箱体２３及び板バネ２４（９４）という計４点のみの部品から構成され、構造が非常に簡単で、製造コストを低く抑えることができる。更には、これらを鋼製として強度、堅牢性、及び雄側部材と雌側部材間の連結力を高めつつ、コンパクト化・薄型化を図ることもできる。従って、バックル１は建材の部品として非常に好ましく、以下にその一使用例を示す。
【００２６】
図１０は、支柱１０１と支柱１０２を二つのバックル１（雄側部材８０を使用）を用いて接合した状態を略示する。図１１（ａ）及び（ｂ）にも示すように、支柱１０１の相対向する一組の側面端部に、雄側部材８０が、突片８２のみ支柱１０１端面から突出するようにネジ止め等により固設される。また、雄側部材８０に突き合わせる支柱１０２側部分には雌側部材２０が固設される。そして、各雄側部材８０と雌側部材２０を連結することにより、支柱１０１と支柱１０２は接合される。ここで、雄側部材８０の突片８２は、矩形状の被係止部８３を有し、板バネ２４の係止部２４ｃとの係止解除が不能であるため、雄側部材８０は雌側部材２０に対し嵌め殺しとなる。なお、支柱１０１、１０２の接合に雄側部材１０を使用すれば、雌側部材２０から離脱可能となるため、解体を予定した架設構造物にとって有利となる。
【００２７】
上記の例では、雄側部材８０の突片８２が支柱１０１端面から突出するため、支柱１０１を支柱１０２に対し、ｌ方向からは突き合わせることができても、ｔ方向から上記突片８２が邪魔になって突き合わせることができないような場合がある。このような場合は、雄側部材８０の突片８２を基部８１に対し直角に曲げて成る雄側部材（図示せず）を用いて対応することができる。
【００２８】
また、建屋（造体）の開口部に合わせた枠に雄側部材１０又は雌側部材２０を事前に取り付けておき、この枠をかくす支柱に雌側部材２０又は雄側部材１０を設けてこれを該枠に接合する例も考えられる。この場合、支柱が陳腐化等した場合にこれを容易に交換することができる。
【００２９】
本発明のバックルは、図１２に示すように、雄側部材１０及び雌側部材２０に例えば長穴１４、２５を設け、これら長穴等を介してベルト、サスペンダー、オーバーオール等の衣服を連結することにより、衣料用バックルとしても使用することができる。なお、図１２では、便宜的に図１〜７のバックルと同様の参照番号を用いており、また、参照番号２２’は、上記長穴２５を設けるために雌側部材２０に形成した基板２２の延長部分である。
【００３０】
【発明の効果】
以上述べたように、本発明に係るバックルは、雌側部材の突片の受け入れを許容しかつ係止する構造がケース体内の板バネのみによって構成され、また、一旦連結された雄側部材と雌側部材の解除を許容するか否かの設計を、突片の被係止部又は板バネの突片係止部分の形状を変えるだけで行うことができる。そのため、雌側部材から雄側部材を離脱させるための手段として特別な部品及び機構を要することはない。従って、構造が非常に簡単であり、従来品と比べ、部品点数を大幅に削減し、製造コストを削減することができる。更には、雄側部材及び雌側部材を金属製として、堅牢性、強度、剛性を高めつつコンパクト化、薄型化を図ることが可能であり、建材の部品として有効に活用することができる。
【図面の簡単な説明】
【図１】本発明に係るバックルの平面図である。
【図２】雌側部材の斜視図である。
【図３】雌側部材の底面図である。
【図４】雌側部材の背面図である。
【図５】突片の拡大図である。
【図６】突片のケース体内への挿入途中の説明図である。
【図７】突片のケース体内への挿入完了時の説明図である。
【図８】雄側部材の別の例を示す破断図である。
【図９】板バネの別の例を示す平面図である。
【図１０】バックルを建材の部品として使用例の説明図である。
【図１１】図１０の使用例における、雄側部材及び雌側部材の支柱への取付け状態の説明図である。
【図１２】衣料用として使用するバックルを例示する平面図である。
【符号の説明】
１  バックル
１０、８０  雄側部材
１１、８１  基体
１２、８２  突片
１３、８３  被係止部
２０  雌側部材
２１  ケース体
２４、９４  板バネ
２４ｂ、９４ｂ  板バネ本体
２４ｃ、９４ｃ  係止部
【図１】
2004183834.tif 000003
【図２】
2004183834.tif 000004
【図３】
2004183834.tif 000005
【図４】
2004183834.tif 000006
【図５】
2004183834.tif 000007
【図６】
2004183834.tif 000008
【図７】
2004183834.tif 000009
【図８】
2004183834.tif 000010
【図９】
2004183834.tif 000011
【図１０】
2004183834.tif 000012
【図１１】
2004183834.tif 000013
【図１２】
2004183834.tif 000014